(57)【要約】【課題】液晶表示装置の周囲の温度の変化に伴う表示品位の低下を防止できる液晶表示装置の駆動装置を提供する。【解決手段】サーミスタ部３は、液晶表示装置の近傍の温度に応じた電圧を出力し、Ａ−Ｄ変換器４は、その電圧をＡ−Ｄ変換した信号をＭＰＵ３に出力する。ＭＰＵ３は、ＭＰＵ３が有しているルックアップテーブルを参照して、その信号が示す温度が属する温度範囲に対応する駆動電圧およびフレーム周波数を読み出す。そして、その駆動電圧やフレーム周波数を指示する制御信号をＬＣＤコントローラドライバ２に出力する。ＬＣＤコントローラドライバ２は、ＭＰＵ５からの制御信号によって指示される駆動電圧やフレーム周波数で液晶表示装置１を駆動する。【選択図】図３
2008107732.tif 000002
【特許請求の範囲】
【請求項１】
複数の走査電極と複数の信号電極との間に液晶を狭持する液晶表示装置の駆動装置であって、
各走査電極を順次選択しながら走査電極を走査し、選択した走査電極を選択時電位に設定し、他の各走査電極を非選択時電位に設定し、選択した走査電極に対応する行の画像データに応じて各信号電極の電位を設定する電位設定手段と、
液晶表示装置の周囲の温度に応じた信号を出力する温度情報出力手段と、
液晶表示装置の画素をオン表示とするための電圧である駆動電圧を指示する駆動電圧制御信号とフレーム周波数とを指示するフレーム周波数制御信号を電位設定手段に出力する制御信号出力手段と、
温度範囲と駆動電圧との対応関係および温度範囲とフレーム周波数との対応関係を示す温度対応情報を記憶する温度対応情報記憶手段とを備え、
温度対応情報記憶手段は、温度範囲が示す温度が高くなるほどフレーム周波数が高く定められた温度対応情報であって、少なくとも２種類のフレーム周波数と各フレーム周波数に対応する温度範囲が定められた温度対応情報を記憶し、
制御信号出力手段は、温度情報出力手段によって出力された信号が示す温度が属する温度範囲に対応する駆動電圧を指示する駆動電圧制御信号と、前記温度範囲に対応するフレーム周波数を指示するフレーム周波数制御信号を電位設定手段に出力し、
電位設定手段は、選択した走査電極を、駆動電圧制御信号によって指示される駆動電圧によって定まる選択時電位に設定し、各信号電極を前記駆動電圧によって定まる電位に設定し、フレーム周波数制御信号によって指示されるフレーム周波数で走査電極を走査する
ことを特徴とする液晶表示装置の駆動装置。
【請求項２】
温度対応情報記憶手段は、３種類以上のフレーム周波数と各フレーム周波数に対応する温度範囲とが定められた温度対応情報を記憶する
請求項１に記載の液晶表示装置の駆動装置。
【請求項３】
温度対応情報記憶手段は、温度範囲が示す温度が高くなるほど駆動電圧が低く定められた温度対応情報を記憶する
請求項１または請求項２に記載の液晶表示装置の駆動装置。
【請求項４】
温度対応情報記憶手段は、温度範囲と、選択された走査電極の電位と信号電極の電位との高低関係を逆転させる周期である交流化周期との対応関係を示す情報を含む温度対応情報を記憶し、
制御信号出力手段は、温度情報出力手段によって出力された信号が示す温度が属する温度範囲に対応する交流化周期を指示する交流化周期制御信号を電位設定手段に出力し、
電位設定手段は、１フレーム内で、交流化周期制御信号によって指示される交流化周期毎に、選択された走査電極の電位と信号電極の電位との高低関係を逆転させる
請求項１、２、または３に記載の液晶表示装置の駆動装置。
【発明の詳細な説明】
【技術分野】
【０００１】
本発明は、液晶表示装置の駆動装置に関し、特に、走査電極を順次選択して駆動させる液晶表示装置の駆動装置に関する。
【背景技術】
【０００２】
複数の走査電極と、走査電極と直交するように配置される複数の信号電極との間に液晶を挟持する液晶表示装置の駆動方法として、各走査電極を順次選択するとともに、表示画像に応じた所定の電位を信号電極群に印加する駆動方法がある。このような駆動方法では、一般に、各走査電極は線順次に選択され、信号電極群には各走査電極の選択期間に同期して表示画像に応じた電位が印加される。
【０００３】
図１１は、駆動電圧の温度特性の例を示す説明図である。図１１において、縦軸は駆動電圧を示し、横軸は温度を示す。ここで、駆動電圧とは、オン表示とすべき画素の液晶に印加する電圧をいう。なお、走査電極に印加する電位と信号電極に印加する電位とは、駆動電圧とバイアス比とによって定まる。走査電極に設定される選択時電位をＶｒとし、オン表示とすべき画素が存在する信号電極に設定される電位を−Ｖｃとすると、電位Ｖｒ，Ｖｃは、駆動電圧とバイアス比とによって定まる。
【０００４】
一般に、駆動電圧は、図１１に示すように温度依存性を有しているので、液晶表示装置の周囲温度に対し不適正な駆動電圧を採用すると、表示品位が低下してしまう（例えば、コントラストが低下する等）ことが知られている。そこで、従来では車載用液晶表示装置等のように広い温度範囲で使用される用途の液晶表示装置に対しては、周囲の気温変化に応じて適正な駆動電圧に補正する駆動方法がとられている（例えば、特許文献１参照。）。
【０００５】
特許文献１には、メモリ性液晶を備えた液晶表示装置を駆動する際に、周囲の温度に応じて駆動パラメータを変化させる技術が記載されている。
【０００６】
【特許文献１】特許第２６０８４５５号公報
【発明の開示】
【発明が解決しようとする課題】
【０００７】
特許文献１には、メモリ性液晶を用いる場合に周囲の温度に応じて駆動パラメータを変化させる技術が記載されているが、液晶表示装置が備える液晶がメモリ性液晶でない場合であっても、温度によらず良好な画像を表示できることが好ましい。
【０００８】
液晶表示装置が備える液晶がメモリ性液晶でない場合、低温時にクロストーク現象が生じるという問題がある。液晶は、駆動電圧に応じて光の透過率が変化する特性を有していることが従来より知られている。図１２は、常温時での駆動電圧と透過率との関係を示す説明図である。図１２において、縦軸は透過率を示し、横軸は駆動電圧を示している。図１２に示す実線は、駆動電圧の増加に伴うオフ電圧印加時の透過率変化を示し、図１２に示す破線は、駆動電圧の増加に伴うオン電圧印加時の透過率変化を示している。ここで、オン電圧は、オン表示とする画素に印加する電圧であり、前述のＶｒ，Ｖｃを用いてＶｒ＋Ｖｃと表される。また、オフ電圧は、オフ表示とする画素に印加する電圧であり、前述のＶｒ，Ｖｃを用いてＶｒ−Ｖｃと表される。図１２に示すように、駆動電圧と透過率との関係において、駆動電圧の増加に伴って、透過率も上昇することが一般に知られている。
【０００９】
しかしながら、現実には、オフ電圧印加時の透過率変化が、駆動電圧の上昇に伴い一旦低下した後に上昇する場合がある。以下、このような現象をＢピーク現象と呼ぶことにする。このＢピーク現象は、低温時に顕著になる。図１３は、低温時での駆動電圧と透過率との関係を示す説明図である。図１３に示すように、低温時では、オフ電圧印加時の透過率が駆動電圧の上昇に伴い、一旦低下してから上昇するＢピーク現象が顕著になる。その結果、低温時では、液晶表示装置の表示画面にクロストークが発生するという問題がある。
【００１０】
また、高温時には、液晶の粘性が低下することによってフリッカ現象が生じるという問題がある。
【００１１】
そこで、本発明は、液晶表示装置の周囲の温度の変化に伴う表示品位の低下を防止できる液晶表示装置の駆動装置を提供することを目的とする。
【課題を解決するための手段】
【００１２】
本発明の態様１は、複数の走査電極と複数の信号電極との間に液晶を狭持する液晶表示装置の駆動装置であって、各走査電極を順次選択しながら走査電極を走査し、選択した走査電極を選択時電位に設定し、他の各走査電極を非選択時電位に設定し、選択した走査電極に対応する行の画像データに応じて各信号電極の電位を設定する電位設定手段（例えばＬＣＤコントローラドライバ２）と、液晶表示装置の周囲の温度に応じた信号を出力する温度情報出力手段（例えば、サーミスタ部３およびＡ−Ｄ変換部４）と、液晶表示装置の画素をオン表示とするための電圧である駆動電圧を指示する駆動電圧制御信号とフレーム周波数とを指示するフレーム周波数制御信号を電位設定手段に出力する制御信号出力手段（例えばＭＰＵ５）と、温度範囲と駆動電圧との対応関係および温度範囲とフレーム周波数との対応関係を示す温度対応情報を記憶する温度対応情報記憶手段（例えばルックアップテーブル）とを備え、温度対応情報記憶手段が、温度範囲が示す温度が高くなるほどフレーム周波数が高く定められた温度対応情報であって、少なくとも２種類のフレーム周波数と各フレーム周波数に対応する温度範囲が定められた温度対応情報を記憶し、制御信号出力手段が、温度情報出力手段によって出力された信号が示す温度が属する温度範囲に対応する駆動電圧を指示する駆動電圧制御信号と、前記温度範囲に対応するフレーム周波数を指示するフレーム周波数制御信号を電位設定手段に出力し、電位設定手段が、選択した走査電極を、駆動電圧制御信号によって指示される駆動電圧によって定まる選択時電位に設定し、各信号電極を前記駆動電圧によって定まる電位に設定し、フレーム周波数制御信号によって指示されるフレーム周波数で走査電極を走査することを特徴とする液晶表示装置の駆動装置を提供する。
【００１３】
本発明の態様２は、態様１において、温度対応情報記憶手段が、３種類以上のフレーム周波数と各フレーム周波数に対応する温度範囲とが定められた温度対応情報を記憶する液晶表示装置の駆動装置を提供する。
【００１４】
本発明の態様３は、態様１または態様２において、温度対応情報記憶手段が、温度範囲が示す温度が高くなるほど駆動電圧が低く定められた温度対応情報を記憶する液晶表示装置の駆動装置を提供する。
【００１５】
本発明の態様４は、態様１から態様３のいずれかにおいて、温度対応情報記憶手段が、温度範囲と、選択された走査電極の電位と信号電極の電位との高低関係を逆転させる周期である交流化周期との対応関係を示す情報を含む温度対応情報を記憶し、制御信号出力手段が、温度情報出力手段によって出力された信号が示す温度が属する温度範囲に対応する交流化周期を指示する交流化周期制御信号を電位設定手段に出力し、電位設定手段が、１フレーム内で、交流化周期制御信号によって指示される交流化周期毎に、選択された走査電極の電位と信号電極の電位との高低関係を逆転させる液晶表示装置の駆動装置を提供する。
【発明の効果】
【００１６】
本発明によれば、低温時におけるクロストークの発生や高温時におけるフリッカの発生を防止することができ、液晶表示装置の周囲の温度の変化に伴う表示品位の低下を防止できる。
【発明を実施するための最良の形態】
【００１７】
以下、本発明の実施の形態について図面を参照して説明する。
図１は、本発明による駆動装置によって駆動される液晶表示装置の構成例を示す説明図である。本実施の形態で用いられる液晶表示装置は、例えば図１に示すように、複数の走査電極１０３ａが設けられた透明基板１０２ａと、複数の信号電極１０３ｂが設けられた透明基板１０２ｂと、周辺シール材１０５と、液晶１０１とを備える。各透明基板１０２ａ，１０２ｂは、ほぼ並行に配置される。液晶１０１は、透明基板１０２ａ，１０２ｂおよび周辺シール材１０５によって形成される空間に封止され、透明基板１０２ａ，１０２ｂによって挟持される。なお、各透明基板１０２ａ，１０２ｂ上には、各走査電極または各信号電極を覆う配向膜（図示せず。）が設けられている。また、各透明基板１０２ａ，１０２ｂにおける液晶１０１とは反対側の面には、偏光板（図示せず。）が設けられている。
【００１８】
また、２枚の透明基板１０２ａ，１０２ｂは、各走査電極１０３ａと各信号電極１０３ｂとがほぼ直交するように配置されている。各走査電極１０３ａと各信号電極１０３ｂとが交差する部分がそれぞれ画素となる。
【００１９】
図２は、本発明の駆動装置が備えるＬＣＤコントローラドライバの構成例を示すブロック図である。なお、本発明の駆動装置全体の構成については後述する。ＬＣＤコントローラドライバ２は、走査電極ドライバ２０１と、信号電極ドライバ２０２と、コントローラ２０３と、電子ボリュームを有する電源回路２０４とを備える。
【００２０】
コントローラ２０３は、走査電極ドライバ２０１、信号電極ドライバ２０２、電源回路２０４を制御する。
【００２１】
走査電極ドライバ２０１は、コントローラ２０３に従い、各走査電極１０３ａを順次選択しながら、各走査電極１０３ａを走査する。走査電極ドライバ２０１は、コントローラ２０３が選択行切替信号（ラッチパルス）を出力する度に、選択する走査電極を切り替える。そして、走査電極ドライバ２０１は、選択した走査電極を選択時電位に設定し、その他の各走査電極を非選択時電位に設定する。また、コントローラ２０３は、１行目の走査電極からの走査を指示するＦＬＭ（ファーストラインマーカ）を走査電極ドライバ２０１に出力し、走査電極ドライバ２０１は、ＦＬＭが入力されると１行目の走査電極から走査を開始する。
【００２２】
信号電極ドライバ２０２は、選択行（選択した走査電極に対応する行）の画像データに応じて、各信号電極の電位を設定する。信号電極ドライバ２０２は、選択行における各画素のうち、オン表示とすべき画素が存在する列の信号電極をオン電位に設定する。また、信号電極ドライバ２０２は、選択行における各画素のうち、オフ表示とすべき画素が存在する列の信号電極をオフ電位に設定する。本例では、液晶表示装置１がノーマリブラックであり、オン表示が白色表示、オフ表示が黒色表示である場合を例として説明する。
【００２３】
以下、正極性駆動時における選択時電位をＶｒ、オン電位を−Ｖｃとして説明する。駆動電圧をＶｏとし、バイアス比をＢとすると、Ｖｒ＋Ｖｃ＝Ｖｏ，Ｂ＝Ｖｃ／（Ｖｒ＋Ｖｃ）が成り立ち、駆動電圧とバイアス比とからＶｒ，Ｖｃが定まる。なお、本例では、液晶表示装置１がＡＰＴ（Alt Pleshko Technique ）によって駆動され、選択されていない走査電極に設定される非選択時電位が０Ｖである場合を例にして説明する。また、バイアス比は一定である。
【００２４】
電源回路２０４は、走査電極ドライバ２０１に電圧Ｖｒを出力し、信号電極ドライバ２０２に電圧Ｖｃ，−Ｖｃを出力する。また、電源回路２０４は、駆動時の極性を切り替えることができるように、走査電極ドライバ２０１に電圧−Ｖｒも出力する。ただし、電圧Ｖｒ，−Ｖｒ，Ｖｃ，−Ｖｃの大きさ（絶対値）は、電源回路２０４が有する電子ボリュームによって変化する。なお、−Ｖｒ＜−Ｖｃ＜Ｖｃ＜Ｖｒであるものとする。
【００２５】
ここで、駆動時の極性について説明する。選択した走査電極の電位が信号電極の電位より高くなるように駆動することを正極性駆動という。また、選択した走査電極の電位が信号電極の電位より低くなるように駆動することを負極性駆動という。本例では、正極性駆動時に、走査電極ドライバ２０１は、選択した走査電極を選択時電位Ｖｒに設定し、他の走査電極を非選択時電位０Ｖに設定する。正極性駆動時に、信号電極ドライバ２０２は、オン表示とすべき画素が存在する列の信号電極をオン電位−Ｖｃに設定し、オフ表示とすべき画素が存在する列の信号電極をオフ電位Ｖｃに設定する。また、負極性駆動時に、走査電極ドライバ２０１は、選択した走査電極を選択時電位−Ｖｒに設定し、他の走査電極を非選択時電位０Ｖに設定する。負極性駆動時に、信号電極ドライバ２０２は、オン表示とすべき画素が存在する列の信号電極をオン電位Ｖｃに設定し、オフ表示とすべき画素が存在する列の信号電極をオフ電位−Ｖｃに設定する。
【００２６】
交流化周期は、正極性駆動と負極性駆動とを切り替える周期である。交流化周期は、例えば、１フレームである。また、１フレーム内において、Ｎライン毎に正極性駆動と負極性駆動とを切り替えてもよい。その場合、正極性駆動と負極性駆動とを切り替えるライン数を交流化周期とする。コントローラ２０３は、液晶表示装置１を正極性駆動で駆動するのか負極性駆動で駆動するのかを指示する信号を走査電極ドライバ２０１、信号電極ドライバ２０２それぞれに出力し、走査電極ドライバ２０１、信号電極ドライバ２０２は、その指示に応じて各電極に電位を設定する。コントローラ２０３は、交流化周期が経過する毎に、液晶表示装置１を正極性駆動で駆動するのか負極性駆動で駆動するのかの指示を切り替える。
【００２７】
コントローラ２０３には、後述するＭＰＵ５（図３参照。）から駆動電圧を指示する駆動電圧制御信号およびフレーム周波数を指示するフレーム周波数制御信号が入力される。コントローラ２０３は、駆動電圧制御信号によって指示される駆動電圧によって定まる電圧Ｖｒ，−Ｖｒを電源装置２０４が走査電極ドライバ２０１に出力し、駆動電圧制御信号によって指示される駆動電圧によって定まる電圧Ｖｃ，−Ｖｃを電源装置２０４が信号電極ドライバ２０２に出力するように、電源装置２０４が備える電子ボリュームを制御する。
【００２８】
また、コントローラ２０３は、フレーム周波数制御信号によって指示されたフレーム周波数で液晶表示装置１を駆動するように、走査電極ドライバ２０１および信号電極ドライバ２０２を制御する。なお、コントローラ２０３は、ＦＬＭの出力間隔と、走査電極ドライバ２０１および信号電極ドライバ２０２に出力する選択行切替信号の出力間隔を変化させることで、フレーム周波数を変化させることができる。ＦＬＭの出力間隔および選択行切替信号の出力間隔を短くすれば各走査電極の選択期間が短くなるので、フレーム周波数が高くなる。また、ＦＬＭの出力間隔および選択行切替信号の出力間隔を長くすれば各走査電極の選択期間が長くなるので、フレーム周波数が低くなる。
【００２９】
図３は、本発明の液晶表示装置の駆動装置の構成例を示すブロック図である。本発明のによる駆動装置は、図３に示すように、ＬＣＤコントローラドライバ２と、サーミスタ３と、Ａ−Ｄ変換器４と、ＭＰＵ（Micro Processing Unit ）５とを備える。
【００３０】
サーミスタ部３は、液晶表示装置１の近傍に配置される。サーミスタ部３は、温度センサであり、液晶表示装置１の近傍の温度に応じた電圧をＡ−Ｄ変換器４に出力する。図４は、サーミスタ部３の構成例を示すブロック図である。サーミスタ部３は、例えばサーミスタ３０と、電源３１とを備える。サーミスタ３０の一端３２は接地され、他端３３は抵抗３４を介して電源３１に接続される。サーミスタ３０の抵抗値は、周囲の温度の上昇に伴って減少し、また、周囲の温度の低下に伴って増加する。従って、サーミスタ３０の両端の電位差は温度によって変化する。サーミスタ部３は、サーミスタ３０の両端間の電圧を、Ａ−Ｄ変換器４に出力する。
【００３１】
Ａ−Ｄ変換器４は、サーミスタ部３が出力した電圧に対してＡ−Ｄ変換を行い、電圧をデジタルデータに変換する。Ａ−Ｄ変換器４は、液晶表示装置１の近傍の温度を示す信号としてそのデジタルデータをＭＰＵ５に出力する。
【００３２】
ＭＰＵ５には、液晶表示装置１の近傍の温度を示す信号がＡ−Ｄ変換器４から入力される。ＭＰＵ５は、その信号が示す温度に応じた駆動電圧制御信号およびフレーム周波数制御信号をＬＣＤコントローラドライバ２が備えるコントローラ２０３に出力する。駆動電圧制御信号は駆動電圧を指示する制御信号であり、フレーム周波数制御信号はフレーム周波数を指示する制御信号である。
【００３３】
ＭＰＵ５は、温度範囲と駆動電圧との対応関係および温度範囲とフレーム周波数との対応関係を示す情報（以下、温度対応情報と記す。）を記憶するルックアップテーブル（図示せず。）を備える。図５は、ルックアップテーブルが記憶する温度対応情報の例を示す説明図である。図５に例示する温度対応情報では、Ｔ１以上Ｔ２未満という温度範囲と、駆動電圧Ｖ１とが対応付けられ、Ｔ２以上Ｔ３未満という温度範囲と、駆動電圧Ｖ２とが対応付けられている。同様に、Ｔ３以上Ｔ４未満、Ｔ４以上Ｔ５未満という温度範囲に対して、それぞれ駆動電圧Ｖ３，Ｖ４が対応付けられている。また、Ｔ１以上Ｔ３未満という温度範囲と、フレーム周波数Ｆ１とが対応付けられ、Ｔ３以上Ｔ４未満という温度範囲とフレーム周波数Ｆ２とが対応付けられている。
【００３４】
温度対応情報において、温度範囲が示す温度での液晶表示装置１の駆動に適した駆動電圧が、その温度範囲に対応する駆動電圧として定められる。そして、温度対応情報において、温度範囲が示す温度が高くなるほど、温度範囲に対応する駆動電圧は低く定められる。図５に示す例では、Ｖ１＞Ｖ２＞Ｖ３＞Ｖ４となるように、各駆動電圧Ｖ１〜Ｖ４が定められる。ただし、温度範囲を狭くして、多数の温度範囲を設ける場合には、温度範囲が示す温度が高くなったときに、温度範囲に対応する駆動電圧が低くなる箇所があってもよい。
【００３５】
また、温度対応情報において、温度範囲が示す温度での液晶表示装置１の駆動に適したフレーム周波数が、その温度範囲に対応するフレーム周波数として定められる。そして、温度対応情報において、温度範囲が示す温度が高くなるほど、温度範囲に対応するフレーム周波数は高く定められる。図５に示す例では、Ｆ１＜Ｆ２である。
【００３６】
なお、図５に例示する温度対応情報では、４種類の駆動電圧と、その４種類の駆動電圧に対応する温度範囲が定められ、２種類のフレーム周波数と、その２種類のフレーム周波数に対応する温度範囲が定められている。温度対応情報で定められる駆動電圧の種類は４種類に限定されず、同様に、温度対応情報で定められるフレーム周波数の種類も２種類に限定されない。
【００３７】
ＭＰＵ５は、液晶表示装置１の近傍の温度を示す信号がＡ−Ｄ変換器４から入力されると、ルックアップテーブルを参照し、その信号が示す温度が属する温度範囲に対応する駆動電圧およびフレーム周波数をルックアップテーブルから読み込む。例えば、Ａ−Ｄ変換器４から入力された信号が、Ｔ２以上Ｔ３未満の範囲に属する温度を示していたとする。その場合、ＭＰＵ５は、ルックアップテーブルを参照し、駆動電圧Ｖ２とフレーム周波数Ｆ１とを読み込む。
【００３８】
ＭＰＵ５は、ルックアップテーブルから読み込んだ駆動電圧を指示する駆動電圧制御信号と、ルックアップテーブルから読み込んだフレーム周波数を指示するフレーム周波数制御信号をＬＣＤコントローラドライバ２が備えるコントローラ２０３（図２参照。）に出力する。
【００３９】
ＬＣＤコントローラドライバ２は、駆動電圧制御信号およびフレーム周波数信号が入力されると、駆動電圧制御信号が指示する駆動電圧、フレーム周波数信号が指示するフレーム周波数で液晶表示装置１を駆動する。
【００４０】
すなわち、ＬＣＤコントローラドライバ２が備えるコントローラ２０３は、駆動電圧制御信号によって指示される駆動電圧によって定まる電圧Ｖｒ，−Ｖｒを電源装置２０４が走査電極ドライバ２０１に出力し、駆動電圧制御信号によって指示される駆動電圧によって定まる電圧Ｖｃ，−Ｖｃを電源装置２０４が信号電極ドライバ２０２に出力するように、電源装置２０４が備える電子ボリュームを制御する。そして、走査電極ドライバ２０１は、電源装置２０４から供給される電圧Ｖｒまたは−Ｖｒを用いて、選択した走査電極の電位をＶｒまたは−Ｖｒに設定する。信号電極ドライバは、選択行における各画素のうち、オン表示とすべき画素が存在する列の信号電極をオン電位（Ｖｃまたは−Ｖｃ）に設定し、選択行における各画素のうち、オフ表示とすべき画素が存在する列の信号電極をオフ電位（−ＶｃまたはＶｃ）に設定する。なお、既に説明したように、選択時電位、オン電位、オフ電位は、正極性駆動か負極性駆動かによって変化する。
【００４１】
また、コントローラ２０３は、フレーム周波数制御信号によって指示されるフレーム周波数で液晶表示装置１を駆動するように、ＦＬＭの出力間隔および選択行切替信号の出力間隔（走査電極の選択期間）を制御する。コントローラ２０３は、フレーム周波数を高くするときには、ＦＬＭの出力間隔および選択行切替信号の出力間隔を短くする。また、コントローラ２０３は、フレーム周波数を低くするときには、ＦＬＭの出力間隔および選択行切替信号の出力間隔を長くする。
【００４２】
次に、動作について説明する。
液晶表示装置１の周囲の温度が上昇（または下降）した場合、サーミスタ部３は、上昇（または下降）後の温度に応じた電圧をＡ−Ｄ変換器４に出力する。Ａ−Ｄ変換器４は、サーミスタ部３の出力電圧をＡ−Ｄ変換して、温度を示す信号をＭＰＵ５に出力する。
【００４３】
ＭＰＵ５は、その信号が示す温度が属する温度範囲に対応する駆動電圧、フレーム周波数をルックアップテーブルから読み込む。そして、その駆動電圧を指示する駆動電圧制御信号と、そのフレーム周波数を指示するフレーム制御信号をＬＣＤコントローラドライバ２に出力する。ＬＣＤコントローラドライバ２は、指示された駆動電圧およびフレーム周波数で液晶表示装置１を駆動する。
【００４４】
ルックアップテーブルが記憶する温度対応情報では、温度範囲が示す温度での液晶表示装置１の駆動に適した駆動電圧が、その温度範囲に対応する駆動電圧として定められている。また、温度範囲が示す温度での液晶表示装置１の駆動に適したフレーム周波数が、その温度範囲に対応するフレーム周波数として定められる。従って、ＬＣＤコントローラドライバ２は、液晶表示装置１の周囲の温度に適した駆動電圧およびフレーム周波数で液晶表示装置１を駆動することができる。具体的には、低温時には高い駆動電圧および低いフレーム周波数で液晶表示装置１を駆動し、高温時には低い駆動電圧および高いフレーム周波数で液晶表示装置１を駆動することができる。従って、駆動電圧だけでなく、フレーム周波数も温度変化に応じて制御するので、低温時におけるクロストークの発生や高温時におけるフリッカの発生を防止することができる。すなわち、液晶表示装置の周囲の温度の変化に伴う表示品位の低下を防止することができる。
【００４５】
なお、複数の行電極を同時に選択する複数ライン同時選択法（マルチラインアドレッシング法：ＭＬＡ法）で液晶表示装置１を駆動する場合、高温時でもフリッカは生じにくい。そこで、ＬＣＤコントローラドライバ２がＭＬＡ法で液晶表示装置１を駆動する場合には、温度対応情報において、２種類のフレーム周波数と、その２種類のフレーム周波数に対応する温度範囲が定められていれば、高温時におけるフリッカの発生を十分抑えられる。ＭＬＡ法以外の駆動方法で液晶表示装置１を駆動する場合、高温時におけるフリッカの発生を防止するため、温度対応情報において、３種類以上のフレーム周波数（例えば、低温時用、常温時用、高温時用の各フレーム周波数）と各フレーム周波数に対応する温度範囲とが定められていることが好ましい。
【００４６】
次に、本発明の実施の形態の変形例について説明する。
本変形例では、ＬＣＤコントローラドライバ２は、１フレーム（すなわち、第１行走査電極を選択してから次に第１行走査電極を選択するまでの期間）内で、正極性駆動と負極性駆動とを切り替える。また、温度に応じて、交流化周期（何ライン毎に正極性駆動と負極性駆動とを切り替えるか）を変化させる。
【００４７】
本変形例では、ルックアップテーブルは、温度範囲と駆動電圧との対応関係および温度範囲とフレーム周波数との対応関係だけでなく、温度範囲と交流化周期との対応関係を示す情報も含む温度対応情報を記憶する。図６は、本変形例においてルックアップテーブルが記憶する温度対応情報の例を示す説明図である。本変形例におけるルックアップテーブルは、図６に示すように、温度範囲と交流化周期との対応関係を示す情報も含んでいる。図６に示す例では、Ｔ１以上Ｔ２未満という温度範囲と、交流化周期Ｓ１ラインとが対応付けられ、Ｔ２以上Ｔ３未満という温度範囲と、交流化周期Ｓ２ラインとが対応付けられている。同様に、Ｔ３以上Ｔ４未満、Ｔ４以上Ｔ５未満という温度範囲に対して、それぞれ交流化周期Ｓ３ライン、Ｓ４ラインが対応付けられている。
【００４８】
温度情報において、温度範囲が示す温度が高くなるほど、温度範囲に対応する交流化周期は少なく定められてもよい。図６に示す例では、Ｓ１＞Ｓ２＞Ｓ３＞Ｓ４である。なお、図６では、４種類の交流化周期と、その４種類の交流化周期に対応する温度範囲が定められた場合の例を示しているが、温度対応情報で定められる交流化周期の種類は４種類に限定されない。
【００４９】
ＭＰＵ５は、液晶表示装置１の近傍の温度を示す信号がＡ−Ｄ変換器４から入力されると、既に説明したように、駆動電圧制御信号およびフレーム周波数制御信号をＬＣＤコントローラドライバ２に出力する。本変形例では、ＭＰＵ５は、さらに、Ａ−Ｄ変換器４から入力された信号が示す温度が属する温度範囲に対応する交流化周期をルックアップテーブルから読み込む。そして、その交流化周波数を指示する交流化周期制御信号をＬＣＤコントローラドライバ２が備えるコントローラ２０３に出力する。
【００５０】
コントローラ２０３は、交流化周期制御信号が入力されると、交流化周期制御信号が指示する交流化周期（本例では走査電極のライン数で表される。）で正極性駆動と負極性駆動とを切り替える。例えば、液晶表示装置１の周囲の温度がＴ１以上Ｔ２未満であり、交流化周期Ｓ１を指示する交流化周期制御信号がコントローラ２０３に入力されたとする。この場合、コントローラ２０３は、Ｓ１ライン分の走査電極の走査が行われる毎に、正極性駆動と負極性駆動とを切り替える。Ｓ１ライン分の走査電極の走査が完了すると、それまで正極性駆動であったならば、負極性駆動への切り替えを走査電極ドライバ２０１、信号電極ドライバ２０２に指示する。逆に、それまで負極性駆動であったならば、正極性駆動への切り替えを走査電極ドライバ２０１、信号電極ドライバ２０２に指示する。温度範囲が示す温度が高くなるほど、温度範囲に対応する交流化周期は少なく定められてもよいので（図６に示す例ではＳ１＞Ｓ２＞Ｓ３＞Ｓ４であるので）、液晶表示装置１の周囲の温度が高くなるほど、正極性駆動と負極性駆動との切り替えはより短い間隔で行われる。
【００５１】
なお、コントローラ３が駆動電圧制御信号やフレーム周波数制御信号に従って動作する点については、既に説明した動作と同様である。
【００５２】
このような変形例では、駆動電圧とフレーム周波数だけでなく、交流化周期も液晶表示装置１の周囲の温度に応じて変化させることができる。そして、温度が高いほど、正極性駆動と負極性駆動との切り替えを短い間隔で行うことができる。よって、低温時におけるクロストークの発生や高温時におけるフリッカの発生を防止する効果をより高めることができる。
【００５３】
発明者は、温度を変化させてクロストークが生じない電圧Ｖｐの範囲を求めた。ここで、電圧Ｖｐは、正極性駆動時における選択時電位Ｖｒと、負極性駆動時における選択時電位−Ｖｒとの差である。すなわち、Ｖｐ＝Ｖｒ−（−Ｖｒ）＝２Ｖｒである。駆動電圧が下がると、Ｖｒの絶対値も下がるので、駆動電圧が高ければＶｐも高く、駆動電圧が低ければＶｐも低くなる。すなわち、Ｖｐは駆動電圧の大きさを示す指標として用いることができる。
【００５４】
発明者は、−３０℃、−２０℃、−１０℃、０℃、１０℃、２５℃、４０℃、５０℃、６０℃、７０℃、８０℃、８５℃の各温度で、クロストークが生じない電圧Ｖｐの範囲を求めた。また、−３０℃、−２０℃、−１０℃、０℃、１０℃では、フレーム周波数を８８Ｈｚとし、他の温度ではフレーム周波数をより高い１３２Ｈｚとした。図７は、このようにフレーム周波数を切り替える条件において、クロストークが生じない電圧Ｖｐの範囲を示す説明図である。図８は、同じ条件での各温度におけるクロストークが生じない電圧Ｖｐの下限値、上限値、下限値と上限値の中間値（Optinum ）、および上限値と下限値との差（以下、マージンと記す。）を示す説明図である。
【００５５】
図７において、ばつ印のマーカはクロストークが生じない電圧Ｖｐの下限値を示す。△印のマーカはクロストークが生じない電圧Ｖｐの上限値を示す。丸印のマーカは、下限値と上限値との中間値であり、Ｖｐがこの中間値になるような駆動電圧を選択すれば、クロストークを防止することができる。また、マージン（下限値と上限値との差）が広いほど、クロストークは発生しにくくなる。
【００５６】
図７を参照すると、低温時（図７に示す左側の点線の楕円で囲んだ近辺の温度）でもマージンが広く、クロストークが生じにくいことを確認できる。また、図８に示す上限値、下限値を計測する際、高温時（図７に示す右側の楕円で囲んだ近辺の温度）でもフリッカは生じなかった。
【００５７】
各温度範囲に対応する駆動電圧として、Ｖｐが中間値（図８に示すOptinum ）となるような駆動電圧を選択し、例えば、フレーム周波数を低温では８８Ｈｚ、高温では１３２Ｈｚとなるような温度対応情報を本発明の駆動装置のルックアップテーブルに記憶させておけば、温度変化によらず表示品位の低下を防止できる。例えば、−３５℃以上−２５℃未満等の各温度範囲に対して、Ｖｐが中間値（図８に示すOptinum ）となるような駆動電圧を対応付ければよい。また、例えば、−５℃未満の温度範囲と、フレーム周波数８８Ｈｚとを対応付け、５℃以上の温度範囲とフレーム周波数１３２Ｈｚとを対応付ければよい。ただし、図８に示した値は、実験的に得た一例であり、温度対応情報に含める値は、他の値であってもよい。
【００５８】
また、発明者は、フレーム周波数を１３２Ｈｚで固定とし、図７に示す場合と同様に、クロストークが生じない電圧Ｖｐの範囲を求めた。その結果を図９に示す。図９に示す各マーカの意味は、図７と同様である。図９を参照すると、低温時（図９に示す左側の楕円で囲んだ近辺の温度）では、図７と比較してマージンが狭い。このことは、低温時にクロストークが発生しやすいことを示している。なお、フレーム周波数を１３２Ｈｚで固定とした場合、高温時でもフリッカは生じなかった。
【００５９】
また、発明者は、フレーム周波数を８８Ｈｚで固定とし、図７や図９に示す場合と同様に、クロストークが生じない電圧Ｖｐの範囲を求めた。その結果を図１０に示す。図１０に示す各マーカの意味は、図７や図９と同様である。図１０を参照すると、低温時（図１０に示す左側の楕円で囲んだ近辺の温度）では、図９と比較してマージンが広くなっている。このことは、フレーム周波数を低下することで、低温時にクロストークが発生しにくくするすることができることを意味する。ただし、フレーム周波数を８８Ｈｚで固定とした場合、高温時（図１０に示す右側の楕円で囲んだ近辺の温度）での上限値や下限値を測定する際にフリッカが確認された。このことは、フレーム周波数が低いと高温時にフリッカが生じることを意味する。
【００６０】
本発明では、温度に応じて駆動電圧だけでなくフレーム周波数も制御することで低温時におけるクロストークの発生や、高温時におけるフリッカの発生を防止することができる。また、本発明の変形例では、温度に応じて、交流化周期も制御することで、低温時におけるクロストークの発生や、高温時におけるフリッカの発生を防止する効果を、より高めることができる。
【産業上の利用可能性】
【００６１】
本発明は、液晶表示装置の駆動装置に適用され、特に、温度が変化する環境で使用される液晶表示装置の駆動装置に好適にに適用される。
【図面の簡単な説明】
【００６２】
【図１】液晶表示装置の構成例を示す説明図。
【図２】本発明の駆動装置が備えるＬＣＤコントローラドライバの構成例を示すブロック図。
【図３】本発明の液晶表示装置の駆動装置の構成例を示すブロック図。
【図４】サーミスタ部の構成例を示すブロック図。
【図５】ルックアップテーブルが記憶する温度対応情報の例を示す説明図。
【図６】ルックアップテーブルが記憶する温度対応情報の他の例を示す説明図。
【図７】フレーム周波数を切り替える条件において、クロストークが生じない電圧Ｖｐの範囲を示す説明図。
【図８】フレーム周波数を切り替える条件において、クロストークが生じない電圧Ｖｐの下限値、上限値等を示す説明図。
【図９】フレーム周波数を１３２Ｈｚで固定した場合において、クロストークが生じない電圧Ｖｐの範囲を示す説明図
【図１０】フレーム周波数を１３２Ｈｚで固定した場合において、クロストークが生じない電圧Ｖｐの範囲を示す説明図
【図１１】駆動電圧の温度特性の例を示す説明図。
【図１２】常温時の駆動電圧と透過率との関係を示す説明図。
【図１３】低温時の駆動電圧と透過率との関係を示す説明図。
【符号の説明】
【００６３】
１  液晶表示装置
２  ＬＣＤコントローラドライバ
２０１  走査電極ドライバ
２０２  信号電極ドライバ
２０３  コントローラ
２０４  電源装置
３  サーミスタ部
４  Ａ−Ｄ変換器
５  ＭＰＵ
【図１】
2008107732.tif 000003
【図２】
2008107732.tif 000004
【図３】
2008107732.tif 000005
【図４】
2008107732.tif 000006
【図５】
2008107732.tif 000007
【図６】
2008107732.tif 000008
【図７】
2008107732.tif 000009
【図８】
2008107732.tif 000010
【図９】
2008107732.tif 000011
【図１０】
2008107732.tif 000012
【図１１】
2008107732.tif 000013
【図１２】
2008107732.tif 000014
【図１３】
2008107732.tif 000015